(57)【要約】【課題】モーアで刈り取られる芝草を収容するコレクタをトラクタ車体の後側に高く構成し、芝草の供給をコレクタの底部から行わせて、芝草搬送機構を外周部に露出させないで簡潔な構成とし、芝草収容率を高める。【解決手段】車体１後部に装着されて後上部へ回動して下側の開口部２を開放できるコレクタ３に、モーア４で刈取られる芝草の搬入を受ける送込口５の下位と上位との間を昇降可能の収容床６を設けたことを特徴とするモーアコレクタの構成。【選択図】　　　　図１
2004016193.tif 000002
【特許請求の範囲】
【請求項１】
車体１後部に装着されて後上部へ回動して下側の開口部２を開放できるコレクタ３に、モーア４で刈取られる芝草の搬入を受ける送込口５の下位と上位との間を昇降可能の収容床６を設けたことを特徴とするモーアコレクタ。
【請求項２】
前記収容床６は、左右両側の前後中間部をコレクタ３との間に設けられる伸縮シリンダ７に連結して昇降させると共に、この伸縮シリンダ７の前方と後方とに配置される案内子８，９をコレクタ３に一体のガイドレール１０，１１に昇降案内させることを特徴とする請求項１に記載のモーアコレクタ。
【請求項３】
前記コレクタ３は、外周部に適宜間隔を形成してコレクタガード１２を設けたことを特徴とする請求項１、又は２に記載のモーアコレクタ。
【請求項４】
前記コレクタ３は、収容床６の上昇位置よりも上側外周部を覆うコレクタカバー１３を設けたことを特徴とする請求項１，２、又は３に記載のモーアコレクタ。
【発明の詳細な説明】
【０００１】
【発明の属する技術分野】
この発明は、モーアで刈取られる芝草を収容するコレクタの構成に関するものである。
【０００２】
【従来の技術】
モーアを有したトラクタ車体の後側にコレクタを装着し、このモーアで刈取られる芝草をブローワ、乃至シュータで、後側上方に搬送させて、コレクタの上部に供給する技術は知られている。
【０００３】
【発明が解決しようとする課題】
モーアで刈取られる芝草をコレクタの上部から供給して収容させる形態では、コレクタの収容量、収容性等はよくなるがブローワやシュータ等が車体の外側部に突出して高位置に形成されるために、作業の邪魔になりやすい。又車体の腹下を通して後側のコレクタの下部に供給して収容させる形態では、芝草の収容が下層から上部へ押し上げるように行われるため、コレクタの芝草の収容性が低下する。この発明はこのようなコレクタの底部側から芝草を供給収容させる形態において、芝草収容を円滑に行わせ、収容量の増加を図るものである。
【０００４】
【課題を解決するための手段】
請求項１に記載の発明は、車体１後部に装着されて後上部へ回動して下側の開口部２を開放できるコレクタ３に、モーア４で刈取られる芝草の搬入を受ける送込口５の下位と上位との間を昇降可能の収容床６を設けたことを特徴とするモーアコレクタの構成とする。モーア４で刈取られる芝草は、車体１の底下部を経て後側の送込口５からコレクタ３内に収容される。このコレクタ３の収容時は収容床６が送込口５の下側にあって、送込口５から送込まれる芝草を収容して、送込口５部が閉ざされるようになると、収容床６を上昇させて、この収容床６上の収容芝草をコレクタ３内の上部に移すことができる。このように収容床６を上昇させた状態では、この収容床６とコレクタ３の底部との間に送込口５がのぞまされた形態にあるから、刈取作業を続けると、送込口５から収容床６下部のコレクタ３内へ送込み収容される。この収容床６の上下のコレクタ３内が共に一杯になると、このコレクタ３を上方へ回動することにより、開口部２が下方へ開かれて、これらコレクタ３内の芝草を開口部２から落下排出させることができる。
【０００５】
請求項２に記載の発明は、前記収容床６は、左右両側の前後中間部をコレクタ３との間に設けられる伸縮シリンダ７に連結して昇降させると共に、この伸縮シリンダ７の前方と後方とに配置される案内子８，９をコレクタ３に一体のガイドレール１０，１１に昇降案内させることを特徴とするものである。収容床６は伸縮シリンダ７によって昇降されるもので、この伸縮シリンダ７の前方と後方位置の案内子８，９が、コレクタ３のガイドレール１０，１１に案内されるため、芝草を収容させた収容床６の上昇時でも円滑に作動される。
【０００６】
請求項３に記載の発明は、前記コレクタ３は、外周部に適宜間隔を形成してコレクタガード１２を設けたことを特徴とするものである。モーア４で刈取られる芝草をコレクタ３に収容するときは、このコレクタ３に送込まれる風圧を外周に逃すことによって芝草のみを内部に残して貯溜する。このためコレクタ３の外周面は目抜板や、網板等から構成されるが、コレクタガード１２がこの外周面から適宜の間隔位置に設けられるて、コレクタ３の外周部を保護する。又、このコレクタ３の外周面からの風圧の逃しを円滑に行わせる。
【０００７】
請求項４に記載の発明は、前記コレクタ３は、収容床６の上昇位置よりも上側外周部を覆うコレクタカバー１３を設けたことを特徴とするものである。コレクタ３の上部外周面を覆うコレクタカバー１３によって、芝草収容時に吹き込まれる送風の上方への逃出しを防止して、塵埃上方飛散を防止して、衛生的な作業を行うことができる。
【０００８】
【発明の効果】
請求項１に記載の発明は、コレクタ３の底部に位置する送込口５から刈取芝草を送込ませて収容させると共に、芝草を高く揚送するブローワ等を不要として、収容床６を昇降することによって、コレクタ３の上部に芝草を収容させて、収容率を高くすることができる。又、開口部２はコレクタ３を後方上部に回動させて下向きに開放することによって、収容床６の上下のコレクタ３内共に下方へ開放させて収容芝草を速やかに排出させることができる。
【０００９】
請求項２に記載の発明は、収容床６が芝草を収容させた状態であっても、前後のガイドレール１０，１１に案内子８，９を案内させて、これらの中間部を伸縮シリンダ７によって昇降されるため、円滑に昇降させることができる。
請求項３に記載の発明は、コレクタ３の外周面から適宜の間隔位置にコレクタガード１２が設けられるため、構成を軽量化して、剛性を高めることができ、コレクタ３を変形させないようにして、収容容量を大きく維持し、円滑な芝草収容を行わせることができる。
【００１０】
請求項４に記載の発明は、コレクタ３の上部外周がコレクタカバー１３で覆われるため、芝草収容時の送風逃出しによる塵埃の舞い上がりを防止して、衛生的なモーアの運転作業を行うことができる。
【００１１】
【発明の実施の形態】
この発明の一実施例を図面に基づいて説明する。小形の四輪走行形態の乗用トラクタ車体１の腹部に、ブレード１４を配置のモーアデッキ１５を装着し、車体１の後部にコレクタ３を装着して、モーアデッキ１５の後側の排出口１６とコレクタ３の前側下端部の送込口５との間を、車体１底部のシュータ１７で連結したもので、刈取芝草をモーアデッキ１５からこの車体１底部のシュータ１７を経て後側のコレクタ３底部へ送込み収集する形態である。
【００１２】
車体１は、前部のボンネット１８下にエンジンを搭載し、ステアリングハンドル１９で操向できる前車輪２０と、運転席２１の左右両側部に後車輪２２を配置している。該後車輪２２は、エンジンで駆動される油圧ポンプ４１を介して、圧油を左右のモータ３３に夫れ夫れ供給することにより後車輪２２を駆動し走行する。また、油圧ポンプ４１からの圧油により、車体１腹部に装着のモーアデッキ４上の別の油圧モータ２６ａを駆動することができる。２３，２４は前後一対の平行状のリフトリンクで、モーアデッキ１５を吊り下げて、リフトアーム２５の上下動で昇降可能に構成される。モーアデッキ１５には図６のように左右一対のブレード軸２６，２７が軸装されて、両軸２６，２７間はプーリを介してベルト２８で連動される。ブレード軸２６は、前述したように車体１側の油圧ポンプ４１からの圧油により回転する油圧モータ２６ａにより駆動されている。
【００１３】
排出口１６はモーアデッキ１５の後側中央部に形成されて後方へ開口され、矢印方向に回転するベルト２８により左右のブレード１４は刈り取った芝草を中央に寄せ、前方から後方に排出する。２９，３０はゲージホイルである。
この排出口１６に連結されるシュータ１７は、車体１の底部で左右の後車輪２２間に設けられる。このシュータ１７の幅を広くするため、図７、図８のように板金製のモータブラケット３１が幅薄く形成されて、中央の車軸３２部を外側に窪ませて、内側の窪部内に油圧で回転するモータ３３を取り付ける。モータブラケット３１の上部は車体１の縦フレーム３４に取付け、この上方に支持ブラケット３５を突出させて、左右の上端部間を連結部材３６で連結して剛性を図る。又左右のモータブラケット３１の下端部間も連結部材３７で連結し、中段部の左右の縦フレーム３４間も連結部材３８で連結している。前記シュータ１７は、排出口１６よりも上下左右に広い断面にして、これら上下の連結部材３８，３７間と左右のモータブラケット３１間に方形断面形態に形成して位置させている。これら支持ブラケット３５上には運転席２１や、燃料タンク３９、油圧バルブ４０等が支持される。
【００１４】
コレクタ３は、車体１後端部のモータブラケット３１や支持ブラケット３５等に沿って形成される門形状の取付フレーム４２が、フック４３やヒッチ４４等によって着脱可能に取付けられる。この取付フレーム４２の下部前側に前記シュータ１７の後端が一体的に取付けられて、取付フレーム４２を装着するとき、このシュータ１７を前記左右のモータブラケット３１間に介入させるものである。このシュータ１７の後端の送込口５の上側部や左右両側部は取付フレーム４２に遮蔽板４５が設けられて、取付フレーム４２の前後を遮断する。この取付フレーム４２の後側に、上端の開閉軸４６の周りに回動するコレクタ３の開口部２を受けて閉鎖状態に維持できる。
【００１５】
この開閉回動するコレクタ３は、開口部２を前面に形成した箱形状形態で、前記取付フレーム４２の後側に沿うことができる開口フレーム５６と箱形角部に沿う補強フレーム５５と、収容床６を案内するガイドフレーム１０，１１と、これらの外周を覆う目抜板４７と、この左右外側部に適宜間隔Ａを有して形成されるコレクタガード１２等から構成される。このコレクタ３の底部に形成される底板部４８は、前端の開口部２を有する開口フレーム５６に向けて下り勾配に傾斜されて、車体１が後下がりに傾斜したり、畦越走行時等で、この底板部４８が接地したり衝突しない形態に構成している。
【００１６】
このコレクタ３の開閉回動は、取付フレーム４２の上端との間に渡って設けられるエアー圧や油圧による伸縮シリンダ４９によって行われる。コレクタ３が後上方へ回動Ｂされることによって開口部２が下向きになって、収容された芝草を落下排出させる。
【００１７】
このコレクタ３の内側に昇降可能に設けられる収容床６は、板材、乃至目抜板製として、前記底板部４８と同形態に構成される。この底板部４８が下端位置にあるときは、底板部４８上に重合して二重底形態となる。この収容底６は底板部４８と略平行状態を維持して昇降されるように構成される。収容床６の左右両側にわたって支持杆５０を設け、この両端部と、コレクタ３上部のブラケット５１との間にエアー圧や油圧による伸縮シリンダ７を設けて、この伸縮で収容床６を昇降できる。この収容床６の下降位置では前記送込口５の下端縁延長面下位に位置し、上昇位置では送込口５の上端延長面上位に位置するように昇降域を設定される。
【００１８】
この支持杆５０の左右両端部は、コレクタ３の左右両側面の目抜板４７部に形成された上下方向の長穴部５２から外側に突出されて、この突出部に伸縮シリンダ７のスピンドル部が連結される。この長穴部５２はスリットゴム５３で覆われて、このスリット部５７を支持杆５０が昇降動し、芝草の漏れ出しを防止する。
【００１９】
収容床６の前後部で左右両側端には案内子８，９が突出され、この案内子８，９を昇降案内するガイドレール１０，１１がコレクタ３の左右両側壁部の内側面に沿って設けられる。ガイドレール１０，１１は丸棒形態で、上下方向に平行状にして案内間隔５４を形成している。これらガイドレール１０，１１は、コレクタ３を形成する目抜板４７の内角部に沿って一体的に設けられる補強フレーム５５に連結し、補強フレームの一部としている。又、このガイドレール１０，１１等の間に形成される案内間隔５４は、上下に開放されていて、特に下部の案内間隔５４では案内子８，９っが下降して接近するため芝草を圧縮させて詰まり易いため、この案内間隔５４の開放によって芝草の下端からの押出しを行わせて詰まりをなくする。
【００２０】
刈取作業は、モーアデッキ１５を下降させて刈取姿勢とし、コレクタ３は伸縮シリンダ４９により下降させて、開口フレーム５６を取付フレーム４２に接合させて芝草収容姿勢とし、収容床６は伸縮シリンダ７で下動させて底板部４８上に重合させた状態にする。モーアデッキ１５内のブレード１４の回転によって刈り取られた芝草は、このブレード１４回転による起風で中央部後側の排出口１６から車体１底部のシュータ１７を経てコレクタ３内へ送り込まれる。このシュータ１７後端の送込口５から送り込まれる芝草はコレクタ３の収容床６上面に集積される。この集積量が略送込口５上端縁部に達すると、この収容床６を伸縮シリンダ７によって上昇させる。この収容床６の上昇によって、集積されていた芝草はコレクタ３の上部に移動されて圧縮される形態に収容される。又、収容床６の下側で底板部４８との間は送込口５と連通することになり、この送込口５から芝草を送り込ませて収容することができる。
【００２１】
このようにして収容床６上下部が芝草で一杯になると、伸縮シリンダ４９によってコレクタ３を上方へ回動させて、開口部２を下向きに開放させることによって、コレクタ３内の芝草を排出させることができる。排出後はコレクタ３を収容作業位置に戻して刈取作業を行わせることができる。
【００２２】
このようなモーア作業において、シュータ１７の排出口１６に対する連通部は開口断面を上下左右に広く形成することによって、シュータ１７の連設が容易であり、作業中にモーアデッキ１５の上下移動等が行われても連通状態を維持できる。又、送込口５の芝草集積状態等によって風圧抵抗に変動があっても、この排出口１６との間の間隔部からの吸排気によって吸収し、モーア４からコレクタ３への芝草送込作用を円滑に行わせる。
【００２３】
又、このシュータ１７の芝草送込通路断面は、前記モータブラケット３１の窪み形態によって左右に幅広く形成されて、芝草の送込抵抗を小さくすることができる。
前記収容床６の伸縮シリンダ７による昇降動では、この伸縮シリンダ７で収容床６の前後方向幅の中央部を連結して昇降させるため、重心位置を支持して前後重量バランスを保持させて円滑に昇降させることができる。しかも、この前後は案内子８，９を上下方向のガイドレール１０，１１間の案内間隔５４に案内させるため、昇降抵抗を小さくすることができる。この収容床６の上昇時は、開口部２が前側の取付フレーム４２の遮蔽板４５に閉鎖された状態とするが、コレクタ３を上方へ回動させて芝草排出時は開口部２全面を開放させて芝草の排出を速やかに行わせることができる。
【００２４】
図９、図１０においては、前記コレクタ３の上半部上をビニールシート等からなるコレクタカバー１３で被覆したもので、コレクタガード１２の外周部に上側から嵌合させた形態としている。このコレクタカバー１３の下端縁５８は、略収容床６の上昇位置に沿う状態としている。このコレクタカバー１３は風圧で剥ぎ飛ばされないように適宜バンド５９等でコレクタガード１２に連結することができる。この収容床６上側のコレクタ３内への芝草の吹込作用は、収容床６が下降位置にあるとき行われるため、コレクタカバー１３が有効に働くが、この収容床６が上昇位置におかれたときは吹込作用は行われない。目抜板４７から外側へ吹き出された風はコレクタカバー１３の内側の間隔部Ａを下降して外側下方へ吹き出される。
【００２５】
図１１、図１２において上例と異なる点は、前記モーアデッキ１５の排出口１６とシュータ１７との連通部の構成を、このモーアデッキ１５の上動（図１３）、下動（図１１）に伴って上下に拡縮させて、シュータ１７の接地損傷等を少なくするものである。排出口１６の上側に上下動できる上カバー６０を、バネ６１で下カバー６２に対して上側へ弾発させている。これによって、シュータ１７内に介入したとき、上カバー６０の後端排出口１６をシュータ１７内上面一杯に拡張して連通させる。又、シュータ１７の底部には底カバー６３を開口フレーム５６の下端部に対してカバー軸６４の周りに上下回動できる構成とし、バネ６５で上側へ回動するように弾発させてい入る。この底カバー６３によってモーアデッキ１５側の排出口１６の下縁を支持して、排出口１６の上下動に同行して、連通口部の下端の間隔を形成させない。又、この底カバー６３内の下面には排出口６３ａが形成され、動軸６４周りに回動Ｃされる切替板６６をこの排出口６５と、後側の送込口５とに切替回動して、案内する芝草を排出口６５から直接接地面へ排出させたり、コレクタ３側へ収容搬送させるように切替できる。この切替板６６の回動はカバー軸６４端のレバー６７で操作できる。
【図面の簡単な説明】
【図１】コレクタ部の側面図。
【図２】その平面図。
【図３】その一部ガイドレール部の拡大平断面図。
【図４】その一部スリットゴム部の拡大平断面図。
【図５】そのモーア作業機全体の側面図。
【図６】そのモーアデッキ部の平面図。
【図７】そのモータブラケット部の正面図。
【図８】その側面図。
【図９】その一部別実施例を示すコレクタカバー部の側面図。
【図１０】その背面図。
【図１１】その一部別実施例を示すシュータ部の側面図。
【図１２】その正面図。
【図１３】その作用状態を示す側面図。
【符号の説明】
１　　車体
２　　開口部
３　　コレクタ
４　　モーア
５　　送込口
６　　収容床
７　　伸縮シリンダ
８　　案内子
９　　案内子
１０　　ガイドレール
１１　　ガイドレール
１２　　コレクタガード
１３　　コレクタカバー
【図１】
2004016193.tif 000003
【図２】
2004016193.tif 000004
【図３】
2004016193.tif 000005
【図４】
2004016193.tif 000006
【図５】
2004016193.tif 000007
【図６】
2004016193.tif 000008
【図７】
2004016193.tif 000009
【図８】
2004016193.tif 000010
【図９】
2004016193.tif 000011
【図１０】
2004016193.tif 000012
【図１１】
2004016193.tif 000013
【図１２】
2004016193.tif 000014
【図１３】
2004016193.tif 000015